【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
空気圧式廃棄物搬送システムにおいて出口空気を処理するための方法であって、前記出口空気は、少なくとも部分的に、廃棄物搬送に用いられる前記搬送空気である方法であって、
少なくとも１つの出力開口（２２）と少なくとも１つの第２の開口（１６、１７）とを備えるチャンバー（２４）内に、前記出口空気を外方吹出パイプ（１）から吹き出し、
前記第２の開口において前記出口空気の前記吹出による吸引効果を実現し、その出口空気によって達成された前記吸引効果の結果として、追加の空気が、前記少なくとも１つの第２の開口（１６、１７）を介して前記チャンバー内の前記出口空気の領域内に移送され、
前記出口空気及び前記追加の空気は、前記チャンバー（２４）内において、前記出口空気及び追加の空気の混合物が排出される前記出力開口（２２）よりも前で互いに少なくとも部分的に混合することを特徴とする、空気圧式廃棄物搬送システムにおいて出口空気を処理するための方法。
【請求項２】
請求項１に記載の方法であって、
前記チャンバー（２４）は、前記外方吹出パイプ（１）の少なくとも外方吹出端（１１）の周りに配置された外側パイプ（１０）から形成される方法。
【請求項３】
請求項１または２に記載の方法であって、
少なくとも１つの第２の開口（１６）は、外側パイプ（１０）の底部（１２）と前記外方吹出パイプ（１）との間に形成されている方法。
【請求項４】
請求項１から３のいずれか１項に記載の方法であって、
少なくとも１つの第２の開口（１７）は、前記外方吹出パイプの前記出口空気によって達成される前記吸引効果が作用するようになっている空間内へ前記外側パイプ（１０）の前記壁を貫通して配置されている方法。
【請求項５】
請求項１から４のいずれか１項に記載の方法であって、
少なくとも１つの第２の開口（１７）は、前記外方吹出パイプ（１）の前記外方吹出端（１１）の前記ポイントから前記外方吹出方向に対して反対方向に延在するエリアにおいて前記外側パイプ（１０）の前記壁に配置されている方法。
【請求項６】
請求項１から５のいずれか一項に記載の方法であって、
前記外側パイプ（１０）の前記底部（１２）は、前記廃棄物ステーション（２５）又は前記廃棄物室の前記上部に又は該上部付近に延在し、そのため、前記廃棄物ステーション又は前記廃棄物室の前記空間から、前記外側パイプ（１０）と前記外方吹出パイプ（１）との間の前記空間への媒体接続が存在し、前記外方吹出によって、吸引が、前記外側パイプの前記底部の前記開口（１６）を介して前記廃棄物ステーション又は前記廃棄物室の前記空間に達成されるようになっている方法。
【請求項７】
請求項１から６のいずれか一項に記載の方法において、前記出口空気の前記吹出において生成される騒音がサウンドディフューザー（２０）を用いて減衰される方法。
【請求項８】
請求項１から７のいずれか一項に記載の方法において、前記除去される空気は、前記出力開口（２２）の付近においてガイド面（２１）を用いて誘導又は拡散される方法。
【請求項９】
請求項１から８のいずれか１項に記載の方法において、前記チャンバー（２４）は、前記出力開口（２２）に向かって拡大する方法。
【請求項１０】
請求項１から９のいずれか一項に記載の方法において、外方吹出パイプ（１）が、複数の外方吹出パイプ（１）によって形成されるグループに配置される方法。
【請求項１１】
請求項１０に記載の方法において、前記外方吹出パイプ（１）は、それらの吹出が互いに増強し合い、前記追加の空気に対して該吹出によって達成される前記吸引効果を増強するように隣接するよう取り付けられている方法。
【請求項１２】
請求項１０または１１に記載の方法において、複数の外方吹出パイプ（１）によって形成されたグループの前記外方吹出空気は、第２のチャンバー（２８）内に吹き出され、該第２のチャンバーは、外方吹出パイプによって形成されたグループの周りに少なくとも部分的に形成され、該第２のチャンバーにおいて、追加の空気が、前記出口空気によって達成される前記吸引効果の結果として、少なくとも１つの吸引開口（２６）を介して前記出口空気の領域内にもたらされることを特徴とし、前記出口空気及び前記追加の空気は、前記第２のチャンバー（２８）内において、前記出口空気及び追加の空気の混合物が排出される前記出力開口（２７）よりも前で、互いに少なくとも部分的に混合することを特徴とする方法。
【請求項１３】
空気圧式廃棄物搬送システムにおいて出口空気を処理するための装置であって、前記出口空気は、少なくとも部分的に、廃棄物搬送に用いられる前記搬送空気であり、該装置は、外方吹出パイプ（１）を備えるとともに、前記出口空気を前記外方吹出パイプ内に案内するためのデバイスも備える装置において、
前記外方吹出パイプ（１）の外方吹出端（１１）は、少なくとも１つの出力開口（２２）と少なくとも１つの第２の開口（１６、１７）とを備えるチャンバー（２４）内に収容され、前記少なくとも１つの第２の開口（１６、１７）において、前記出口空気の前記吹出によって吸引効果を実現して、その出口空気によって達成された前記吸引効果の結果として、追加の空気が、少なくとも１つの第２の開口（１６、１７）を介して前記チャンバー内の前記出口空気の領域内にもたらされ、
前記出口空気及び前記追加の空気は、前記チャンバー（２４）内において、前記出口空気及び追加の空気の混合物が排出される前記出力開口（２２）よりも前で互いに少なくとも部分的に混合するようになっていることを特徴とする、空気圧式廃棄物搬送システムにおいて出口空気を処理するための装置。
【請求項１４】
請求項１３に記載の装置であって、前記チャンバー（２４）は、前記外方吹出パイプ（１）の少なくとも前記外方吹出端（１１）の周りに配置された外側パイプ（１０）から形成される装置。
【請求項１５】
請求項１３または１４に記載の装置であって、少なくとも１つの第２の開口（１６）は、前記外側パイプ（１０）の前記底部（１２）と前記外方吹出パイプ（１）との間に形成されている装置。
【請求項１６】
請求項１３から１５のいずれか一項に記載の装置であって、少なくとも１つの第２の開口（１７）は、前記外方吹出パイプの前記出口空気によって達成される前記吸引効果が作用するようになっている空間内へ前記外側パイプ（１０）の前記壁を貫通して配置されている装置。
【請求項１７】
請求項１３から１６のいずれか一項に記載の装置であって、
少なくとも１つの第２の開口（１７）は、前記外方吹出パイプ（１）の前記外方吹出端（１１）の前記ポイントから前記外方吹出方向に対して反対方向に延在するエリアにおいて前記外側パイプ（１０）の前記壁に配置されている装置。
【請求項１８】
請求項１３から１７のいずれか一項に記載の装置において、前記外側パイプ（１０）の前記底部（１２）は、前記廃棄物ステーション（２５）又は前記廃棄物室の前記上部に又は該上部付近に延在し、そのため、前記廃棄物ステーション又は前記廃棄物室の前記空間から、前記外側パイプ（１０）と前記外方吹出パイプ（１）との間の前記空間への媒体接続が存在し、前記外方吹出によって、吸引が、前記外側パイプの前記底部の前記開口（１６）を介して前記廃棄物ステーション又は前記廃棄物室の前記空間に達成されるようになっている装置。
【請求項１９】
請求項１３から１８のいずれか一項に記載の装置において、該装置は、外方吹出によって生成される前記騒音を減衰するための手段（１８、１９、２０）を備える装置。
【請求項２０】
請求項１３から１９のいずれか一項に記載の装置において、該装置は、除去される前記空気流を前記出力開口（２２）付近において誘導又は拡散するためのガイド面（２１）を備える装置。
【請求項２１】
請求項１３から２０のいずれか一項に記載の装置において、前記チャンバー（２４）は、前記出力開口（２２）に向かって拡大する装置。
【請求項２２】
請求項１３から２１のいずれか一項に記載の装置において、外方吹出パイプ（１）が、複数の外方吹出パイプ（１）によって形成されるグループに配置される装置。
【請求項２３】
請求項２２に記載の装置において、外方吹出パイプ（１）は、それらの吹出が互いに増強し合い、該吹出によって達成される前記吸引効果を増強するように隣接するよう取り付けられている装置。
【請求項２４】
請求項２２または２３に記載の装置において、前記外方吹出パイプ（１）の前記外方吹出端（１１）、又は複数の外方吹出パイプによって形成されたグループの前記外側パイプ（１０）の前記出力開口（２２）は、少なくとも１つの出力開口（２７）と少なくとも１つの第２の開口（２６）とを備える第２のチャンバー（２８）内に収容され、該第２のチャンバー（２８）において、前記出口空気によって達成された前記吸引効果の結果として、追加の空気が、少なくとも１つの吸引開口（２６）を介して前記出口空気の領域内にもたらされることを特徴とし、前記出口空気及び前記追加の空気は、前記第２のチャンバー（２８）内において、前記出口空気及び追加の空気の混合物が排出される前記出力開口（２７）よりも前で互いに少なくとも部分的に混合する装置。
【請求項２５】
請求項２２から２４のいずれか１項に記載の装置において、前記第２のチャンバー（２８）は、外方吹出パイプ（１）または外側パイプ（１０）の少なくとも前記外方吹出端の周りに配置された外側パイプ（２５）のグループから形成されている装置。